(57)【要約】【課題】日常生活に支障なく簡便に使用でき、口唇に潤いを与えるための口唇パックを提供する。【解決手段】口唇の周囲を覆うのに十分な大きさと形状を有するゲル状組成物からなる口唇パックであって、中央に、口唇の横方向の長さに略等しい長軸を有する略長円形の開口２を形設してなるシート部３と、開口２の周縁全体から口唇で係止可能に突出する突条部７とを備えた口唇パック１により、上記の課題を解決する。【選択図】図１
2005120043.tif 000002
【特許請求の範囲】
【請求項１】
口唇の周囲を覆うのに十分な大きさと形状を有するゲル状組成物からなる口唇パックであって、
中央に、口唇の横方向の長さに略等しい長軸を有する略楕円形または略長円形の開口を形設してなるシート部と、
前記開口の周縁のうち、少なくとも下側部分と、この下側部分の両端に連続してそれぞれ上方へ湾曲して折り返す両折り返し部分とから口唇で係止可能に突出する突条部と
を備えた口唇パック。
【請求項２】
突条部が、開口の周縁の全体部分から口唇で係止可能に突出する請求項１に記載の口唇パック。
【請求項３】
突条部が、その突出高さを２〜５ｍｍとし、幅を２〜４ｍｍとしてなる請求項１または２に記載の口唇パック。
【請求項４】
略楕円形または略長円形の開口が、その大きさを長軸方向に３０〜７０ｍｍ、短軸方向に５〜１０ｍｍとしてなる請求項１〜３のいずれか一つに記載の口唇パック。
【請求項５】
シート部が、その開口より上部分の高さを下部分のそれより大きくしてなる請求項１〜４のいずれか一つに記載の口唇パック。
【請求項６】
上部分の高さが、下部分のそれより３〜１０ｍｍ大きい請求項５に記載の口唇パック。
【請求項７】
シート部が、その開口より上部分の高さを下部分のそれと略同じ大きさにしてなる請求項１〜４のいずれか一つに記載の口唇パック。
【請求項８】
ゲル状組成物の溶液を所定の形状を有するブリスタ容器に充填し、ゲル化させて得られた請求項１〜７のいずれか一つに記載の口唇パック。
【請求項９】
所定の形状を有するブリスタ容器と、このブリスタ容器にゲル状組成物の溶液を充填し、ゲル化させて得られ、収容された請求項１〜７のいずれか一つに記載の口唇パックとからなるブリスタ容器収容口唇パック。
【請求項１０】
ブリスタ容器が、所定の形状を有する皿状部と、この皿状部の開口部分を密封するフィルム部とからなる請求項９に記載のブリスタ容器収容口唇パック。
【発明の詳細な説明】
【技術分野】
【０００１】
本発明は口唇パックに関するものであり、さらに詳しくは、口唇の周囲を覆うのに十分な大きさと形状を有するゲル状組成物からなる略シート状の口唇パックに関するものである。
【背景技術】
【０００２】
近年、自己形態保持性を有するゲル状組成物が、不織布などの支持なしでシート状に成形され、外用剤として用いられている。
一方、かかるゲル状組成物からなるシート状のものに薬用成分または化粧用成分を配合した目元パック等が知られている。
また、口唇専用のパックも知られているが、この口唇パックは、不織布からなる支持体に水溶性高分子からなる膏体を塗布したものであり、しかも使用時に口に当たる部分に線状の切れ目が入れてあるだけなので、使用中に会話がし難く、違和感があり、満足できるものではなかった。
【発明の開示】
【発明が解決しようとする課題】
【０００３】
ヒトの口唇は常に潤っているのが普通であり、それが乾いたりすると、口唇が荒れたり、ひび割れしたりすることがある。そのため、口唇を潤った状態に保つことが、若い女性の間で望まれており、また会話に支障がなく、使用していることを感じさせないような口唇パックの開発が望まれていた。
【課題を解決するための手段】
【０００４】
本発明者らは、上記の課題を解決するために鋭意検討を重ねた結果、口唇の周囲を覆うのに十分な大きさと形状を有するゲル状組成物からなるシート状のものの中央に、単なる線状の切れ目を形設するのではなく、特定の開口を形設し、かつこの開口の周縁の特定部分から突出する突条部を口唇で係止可能に設けたパックを口唇に適用すれば、開口の形設により使用中に会話ができ、しかもそのように会話ができることでパックの保持力を弱めることにもなるところ、開口の周縁に形成された突条部を口唇で係止できるのでパックを確実に保持でき、日常生活の中で支障なく口唇に潤いが与えられることを見出した。
【０００５】
すなわち、本発明は、口唇の周囲を覆うのに十分な大きさと形状を有するゲル状組成物からなる口唇パックであって、
（１）中央に、口唇の横方向の長さに略等しい長軸を有する略楕円形または略長円形の開口を形設してなるシート部と、
（２）前記開口の周縁のうち、少なくとも下側部分とこの下側部分の両端に連続してそれぞれ上方へ湾曲して折り返す両折り返し部分とから口唇で係止可能に突出する突条部と
を備えた口唇パックを提供する。
【０００６】
本発明は、別の観点によれば、
（１）所定の形状を有するブリスタ容器と、
（２）このブリスタ容器にゲル状組成物の溶液を充填し、ゲル化させて得られ収容された、口唇の周囲を覆うのに十分な大きさと形状を有するゲル状組成物からなる口唇パックであって、中央に、口唇の横方向の長さに略等しい長軸を有する略楕円形または略長円形の開口を形設してなるシート部と、前記開口の周縁のうち、少なくとも下側部分とこの下側部分の両端に連続してそれぞれ上方へ湾曲して折り返す両折り返し部分とから口唇で係止可能に突出する突条部とを備えた口唇パックと
からなるブリスタ容器収容口唇パックを提供できる。
【発明の効果】
【０００７】
本発明に係る口唇パックは、そのシート部の中央に、口唇の横方向の長さに略等しい長軸を有する略楕円形または略長円形の開口を形設し、かつその開口の周縁のうち、少なくとも下側部分とこの下側部分の両端に連続してそれぞれ上方へ湾曲して折り返す両折り返し部分とから突条部を口唇で係止可能に突出させているので、シート部の中央に、単なる線状の切れ目を形設するのではなく、特定の開口を形設することになって使用中に会話ができ、しかもそのように会話ができるように開口を形成しても特定の突条部を口唇の対応特定部分で係止できるのでパックの保持力を弱めることなく確実とし、日常生活の中で支障なく口唇に潤いを与えることができる。
【発明を実施するための最良の形態】
【０００８】
本発明において、口唇パックの大きさは、特に限定されず、使用者に応じて適宜設定することができる。一例を挙げれば、女性の成人用としては、シート部の形状を略口唇形として、その長手方向の長さを約５０〜８０ｍｍとし、短手方向の長さを約２０〜３０ｍｍとするのが好ましい。厚みは０．５〜５ｍｍ、好ましくは１〜３ｍｍである。
本発明に係る口唇パックにおいて、そのシート部の中央には、口唇の横方向の長さに略等しい長軸を有する略楕円形または略長円形の開口が形設される。この開口の大きさは、使用する人の口の大きさにもよるが、その大きさを長軸方向に３０〜７０ｍｍ、短軸方向に５〜１０ｍｍとすると、特に使用中の会話がスムースにできるので好ましい。なお、短手方向の上方部分の高さを、下方部分より３〜１０ｍｍ大きく設定すると、口唇パックの保持力を高めることができるので好ましい。
【０００９】
一方、この開口は、口唇パックの保持には不利に働くが、その周縁のうち、少なくとも下側部分とこの下側部分の両端に連続してそれぞれ上方へ湾曲して折り返す両折り返し部分から口唇で係止可能に突出する突条部を設けることによって、口唇パックの確実な保持を可能にする。特に、突条部が、開口の周縁の全体部分から口唇で係止可能に突出すると、口唇パックの保持はより確実になる。この突条部は、開口の周縁の全体部分からではなく、途中までからでもよい。
突条部は、口唇での係止が容易に、かつ確実にできるように、その突出高さを２〜５ｍｍ、幅を約２〜４ｍｍとするのが好ましい。特に、突条部の先端が上下の歯列に沿うとさらに口唇パックの保持が確実になる。
【００１０】
本発明に係る口唇パックは、ゲル状組成物の溶液を所定の形状を有するブリスタ容器に充填し、ゲル化させて得られる。
本発明の口唇パックを構成するゲル状組成物は、特に限定されないが、水溶性高分子からなるものが好ましい。水溶性高分子は、ゲル状組成物とした際に、後述の含水率および圧縮変形率を示すものであればよく、その種類は限定されない。
また、ゲル状組成物とした際に透明となるものが好ましい。ここで、透明とは、いわゆるウォータークリアと呼ばれるような無色で、濁りのない状態を意味する。
水溶性高分子における「水溶性」とは、室温付近で水溶性高分子１ｇが約３０ｍｌより少ない水に溶解することを意味する。
【００１１】
水溶性高分子は、天然の水溶性高分子、特に多糖類が好ましい。天然の水溶性高分子の場合には、例えば、ゲル強度が６０〜１００ｇ程度のものが適当である。ここで言う「ゲル強度」とは、０．５インチのプランジャーを備えたレオメータを用いて、６ｃｍ／分の速度で、プランジャーを水溶性高分子のゲル体表面を４ｍｍ押し下げるのに必要な力をグラム数で表した数値を意味する。
天然の水溶性高分子の具体例としては、カラゲナン；ローカストビーンガム；キサンタンガム；グァーガム；ジェランガム；タマリンドシードガム；カラヤガム；ペクチン；グルコマンナン、ゼラチンなどが挙げられる。
【００１２】
また、合成の水溶性高分子を用いてもよく、その場合の平均分子量は、例えば１０００〜２００００００００程度である。具体的には、カルボキシメチルセルロース；カルボキシメチルセルロースナトリウム；カルボキシビニルポリマー；ポリビニルアルコール；アルギン酸；グラフトデンプン；アガロース；ポリグルタミン酸、ポリアクリル酸、アルギン酸、アーネストガムならびにそれらの塩および部分中和物等が挙げられる。
【００１３】
水溶性高分子は、１種または２種以上の混合物として用いることができる。２種以上の天然の水溶性高分子を組み合わせて用いるのが好ましく、その中にカラゲナンが含まれているのが特に好ましい。
【００１４】
カラゲナンは、一般にアイリッシュモスという海藻から抽出され、硫酸基を含むガラクタンという多糖類の一種であり、カッパー形、イオタ形およびラムダ形がある。いずれの形でもよいが、カッパーおよび／またはイオタ形を用いるのが好ましく、カッパー形とイオタ形の両方を含むのが特に好ましい。カラゲナンとその他の水溶性高分子との混合割合（重量比）は、例えば１：０〜１：１０程度が好ましい。また、カッパー形とイオタ形の両方を用いる場合の両者の割合（重量比）は、１：１０〜１０：１程度が好ましい。特に好ましいのは、カッパー形および／またはイオタ形カラゲナン：ローカストビーンガム：グルコマンナンの組合せであり、それらの配合割合（重量比）は特に限定されないが、例えば１０〜１：１０〜１：１程度である。
【００１５】
水溶性高分子は、ゲル状組成物全体に対して、０．１〜１０重量％程度、好ましくは０．３〜５重量％、さらに好ましくは０．５〜３重量％程度含まれている。なお、水溶性高分子は可食性であることが好ましい。ここで、「可食性」とは、食品等を規制する法律により飲食が許容されていることを意味する。
【００１６】
本発明の口唇パックを構成するゲル状組成物は、上記の水溶性高分子を水に溶解し、ゲル化したものであり、その含水率は３０〜９５％程度、好ましくは４０〜８５％程度、さらに好ましくは５０〜８０％程度である。含水率が３０％より低い場合には、後記の圧縮変形率が得られないばかりでなく、保水性が著しく低下して、皮膚から剥がれやすくなり、皮膚表面を乾燥させたり、かぶれさせたりするなどの不都合がある。また、含水率が９５％を超えると、圧縮変形率が著しく低下して、ゲル状組成物がもろくなり、使用に十分耐えられなくなるばかりでなく、使用時の離水が顕著になって取扱い性が悪くなり、皮膚からも剥がれやすくなる。
本発明の口唇パックを構成するゲル状組成物は、圧縮変形率が６５〜９９％、好ましくは７０〜９５％、より好ましくは７５〜９０％程度である。ゲル状組成物の圧縮変形率がこの範囲であれば、引っ張り強度、ならびに貼着面の起伏やしわに対する適合性に優れている。
【００１７】
なお、ここで言う「圧縮変形率」とは、一定速度で押圧可能なプランジャーを用いて所定速度でゲル状組成物を圧縮した際の、ゲル構造の一部破壊に到るまでの最大の変形率を百分率で表したものである。圧縮変形率を測定する場合、ゲル状組成物は所定の厚さ、例えば１〜１０ｍｍ程度の厚さ、好ましくは２〜４ｍｍ程度の厚さを有する平板状の試料とされる。プランジャーは、ほぼ円筒形であり、所定の断面積、例えば０．１〜２ｃｍ2程度、好ましくは０．５ｃｍ2程度の断面積を有しており、このようなプランジャーは圧縮試験装置に搭載されている。圧縮試験装置としては、例えば、食品の食感を測定するテクスチュアメータや粘弾性を測定するレオメータ等を使用することができる。測定時のプランジャーの速度は、０．０１〜０．１ｍｍ／秒程度、好ましくは０．０５ｍｍ／秒程度である。
【００１８】
上記のゲル状組成物は、水溶性高分子を６０〜９０℃程度の温水に溶解し、２０〜４０℃程度に放冷することによりゲル化させることができる。このゲル状組成物には、薬用成分（例えば、カンゾウエキス、尿素、ビタミンＢ群、ビタミンＣ、ビタミンＥ、ポピドンヨードなど）、または化粧用成分（例えば、トレハロース、植物性コラーゲン、トリメチルグリシン、アロエ、ハチミツなど）を添加してもよいし、医薬または化粧品の分野で通常使用されている添加剤、例えば防腐剤、殺菌剤、香料、着色剤、抗酸化剤などを添加してもよい。さらに、アロマテラピーに用いられるアロマオイルなどを添加してもよい。
上記の薬用成分は、高分子膜で包んだ粒状体として用いてもよいし、多孔性高分子粒状体に含浸・担持させたものを用いてもよい。
【００１９】
アロマオイルとしては、一般にアロマテラピーに用いられる精油成分（精油類）をそのまま用いることができる。この精油成分としては、例えば、ワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルダモン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウなどからの抽出物が挙げられる。
化粧用成分や添加剤としては、当該分野で公知のものを使用することができる。
【００２０】
本発明の口唇パックの形状および製造法について、以下に説明する。
実施の形態１
図１は本発明における実施の形態１の口唇パックを示す正面図、図２は図１の口唇パックの平面図、図３は図１の口唇パックの右側面図、図４は図１の口唇パックの背面図、図５は図１のA―A断面図、図６は図１の口唇パックの使用状態を示す参考図である。
図１〜５において、口唇パック１は、全体的にはやや横長の文字どうり略口唇形に形成された、口唇の周囲を覆うのに十分な大きさと形状（長手方向の長さは約６５ｍｍであり、短手方向の長さは約５０ｍｍであり、短手方向の長さをその上方部分で約１０ｍｍ長く設定）を有するゲル状組成物からなり、中央に、口唇の横方向の長さに略等しい長軸を有する略長円形の開口２を形設してなる厚さ約２ｍｍのシート部３と、開口２の周縁の全体部分、つまり、周縁の下側部分４と、この下側部分の両端に連続してそれぞれ上方へ湾曲して折り返す両折り返し部分５，６とから口唇で係止可能に突出する突条部（凸状リブ）７とからなる。なお、この両折り返し部５，６は折り返した後、相互に繋がる。
【００２１】
開口２の大きさは、長さ（長軸方向の長さ）が約４５ｍｍであり、幅（短軸方向の長さ）が約１０ｍｍである。そして、開口２には、その周縁に沿って突出高さが約３．５ｍｍ、その幅が３ｍｍの突条部７が設けられている。
口唇パック１は、図６のごとく、開口２を形設しているので使用中に会話ができ、しかもそのように会話ができるように開口２を形設しても、その開口２の周縁に形成した突条部７を口唇の対応部分で係止できる（上・下口唇の下・上面にそれぞれ貼着できる）ので、パックの保持力を弱めることなく確実とするとともにその脱落を防止し、かつ会話時の口唇の動きをより一層スムースにでき、日常生活の中で支障なく口唇に潤いを与えることができる。
【００２２】
なお、この口唇パック１は、通常、ブリスタ容器内で作られ、そのブリスタ容器に入れた状態で流通されることが好ましい。
図７は図１の口唇パックをブリスタ容器に入れた状態を示す正面図、図８は図７のＩ−Ｉ’断面図である。
図７および８において、ブリスタ容器収容口唇パック１０は、所定の形状を有するブリスタ容器１１と、このブリスタ容器にゲル状組成物の溶液を充填し、ゲル化させて得られ収容された、図１〜６の口唇パック１と同様の構成からなる口唇パック１２とからなる。ここで、ブリスタ容器１１は、口唇パック１２の正面の形状に対応した形状を内側に有する皿状部１３と、この皿状部の開口部分を、内部に収容した口唇パック１が使用されるまでの間、密封し、ゲル状組成物からの水分の蒸散を防ぐアルミラミネートフィルムのフィルム部１４とからなる。
【００２３】
実施の形態２
図９は本発明の実施の形態２の口唇パックを示す正面図である。
図９において、口唇パック１aは、全体的にはほとんど実施の形態１の図１〜５と同様の大きさと形状（突条部の両折り返し部分が、折り返した後、相互に繋がるのではなく、突き当たる途中までである。実施の形態１とはこの点でのみ異なる。）を有するゲル状組成物からなり、中央に、口唇の横方向の長さに略等しい長軸を有する略長円形の開口２aを形設してなる厚さ約３ｍｍのシート部３aと、開口２aの周縁の約半分強の半部分、つまり、周縁の下側部分４aとこの下側部分の両端に連続してそれぞれ上方へ湾曲し途中まで折り返す両折り返し部分５a，６aとから口唇で係止可能に突出する突条部（凸状リブ）７aとからなる。なお、この両折り返し部５a，６aは、途中まで折り返すだけで、繋がらない。
【００２４】
実施の形態３
図１０は本発明の実施の形態３の口唇パックを示す正面図である。
図１０において、口唇パック２１は、全体的にはほとんど実施の形態１の図１〜５と同様の大きさと形状（シート部の短軸方向の長さが、上・下方部分で等しく、上方部分で長い実施の形態１とはこの点でのみ異なる）を有するゲル状組成物からなり、中央に、口唇の横方向の長さに略等しい長軸を有する略長円形の開口２２を形設してなる厚さ約３ｍｍのシート部２３と、開口２２の周縁の全体部分、つまり、周縁の下側部分２４と、この下側部分の両端に連続してそれぞれ上方へ湾曲して折り返す両折り返し部分２５，２６とから口唇で係止可能に突出する突条部（凸状リブ）２７とからなる。
【００２５】
実施の形態４
図１１は本発明の実施の形態４の口唇パックを示す正面図である。
図１１において、口唇パック３１は、全体的にはやや横長の文字どうり略口唇形に形成された、口唇の周囲を覆うのに十分な大きさと形状（長手方向の長さは約６５ｍｍであり、短手方向の長さは約５０ｍｍであり、短手方向の長さをその上方部分で５〜６ｍｍ長く設定）を有するゲル状組成物からなり、中央に、口唇の横方向の長さに略等しい長軸を有する略長円形の開口３２を形設してなる厚さ約３ｍｍのシート部３３と、開口３２の周縁の全体部分、つまり、周縁の下側部分３４と、この下側部分の両端に連続してそれぞれ上方へ湾曲して折り返す両折り返し部分３５，３６とから口唇で係止可能に突出する突条部（凸状リブ）３７とからなる。
【００２６】
この実施の形態４における口唇パック３１は、実施の形態１ではシート部の頂部が上向きに円弧状に曲線を描くのに対し、緩やかに下向きに窪む小さな凹み部分３８を有する点で異なる以外は、結局、実施の形態１と同じである。なお、この凹み部分３８は、口唇パック３１を口唇の周縁部分に貼着する際に位置合わせの目印となり、貼着部位をより正確にでき、さらに実際の口唇頂部の比較的大きな形状変化を避けて貼着することができ、口唇パック３１の保持をより一層確実にして、その脱落を防止できるという利点がある。
【００２７】
本発明の口唇パックは、所望の形状を有するブリスタ容器にゲル状組成物の加熱溶液を注入した後、放冷し、ゲル化させて製造する方法により得られる。ブリスタ容器を用いる方法により口唇パックを製造すると、ブリスタ容器をそのまま口唇パックの容器として利用できるので、好ましい。
【００２８】
以下、本発明の口唇パックを構成するゲル状組成物および口唇パックの製造法を実施例により説明する。
ゲル状組成物の全量を１００重量％として、以下の処方のゲル状組成物を調製した。各成分の配合割合は重量％で表す。
なお、カッパーカラゲナンは、三晶株式会社製のGENUGEL carrageenan type Ｘを用いた。
【実施例】
【００２９】
実施例１
カッパーカラゲナン ０．６
グルコマンナン ０．４
ソルビトール ５．０
パラベン ０．２
植物コラーゲン ０．５
トレハロース ０．５
トリメチルグリシン ０．５
オリーブオイル ０．５
水 残部
【００３０】
まず、カッパーカラゲナンおよびグルコマンナンをソルビトールに加え、攪拌混合してゲル成分湿潤液を得る。これにパラベンを加え、加温下で攪拌しながら完全に溶解させて溶液とする。この溶液に、植物コラーゲン、トレハロース、トリメチルグリシンおよびオリーブオイルを加えて溶解させる。この溶液を水に加えて、ゲル成分を膨潤させる。得られたゲル成分膨潤液を８０〜８５℃程度に加熱し、膨潤したゲル成分を均一に溶解させる。その後、７０〜７５℃に調節した水浴に浸して溶液温度を降下させるとともに、溶液内の気泡が排除されるのを待つ。このようにして得られたゲル状組成物の加熱溶液を、図１の形状を与えるブリスタパック容器に充填し、室温まで放冷してゲル化させた後、アルミラミネートフィルムでシールして、口唇パックを得た。
【００３１】
実施例２
カッパーカラゲナン ０．８
ローカストビーンガム ０．４
グルコマンナン ０．１
グリセリン                １０．０
ソルビトール                ５．０
ベタイン                    １．０
架橋剤                      ０．２
防腐剤 ０．２
水 残部
【００３２】
カッパーカラゲナン 、ローカストビーンガムおよびグルコマンナンを適量のグリセリンに分散させる（予調液１）。これとは別に、ソルビトールと適量の水とを均一に混合する（予調液２）。また、防腐剤を残りのグリセリンに溶解させる（予調液３）。さらに、架橋剤を少量の水に溶解させる（予調液４）。
上記の予調液１に予調液３を加えて混合する。これに予調液２を加え、加熱して溶解させる。これに予調液４を加え、均一に混合して、充填用のゲル液とする。
上記のゲル液を図４の形状を与えるブリスタ成形容器に充填し、放冷してゲル化させた後、アルミラミネートフィルムでシールして、口唇パックを得た。
【００３３】
試験例１
上記の実施例１および２で得られたゲル状組成物の圧縮変形率を測定した。圧縮変形率の測定は、テキソグラフ（日本食品研究所）を用い、断面積０．５ｃｍ2の円筒プランジャーを用いて、０．０５ｍｍ／秒の速度でゲル状組成物を圧縮し、ゲル状組成物の構造の一部が破壊する直前の圧縮変形率（ｎ＝５）を求めた。
実施例１のゲル状組成物：圧縮変形率９７．３％
実施例２のゲル状組成物：圧縮変形率９０．７％
【図面の簡単な説明】
【００３４】
【図１】本発明における実施の形態１の口唇パックを示す正面図である。
【図２】図１の口唇パックの平面図である。
【図３】図１の口唇パックの右側面図である。
【図４】図１の口唇パックの背面図である。
【図５】図１のA―A断面図である。
【図６】図１の口唇パックの使用状態を示す参考図である。
【図７】図１の口唇パックをブリスタ容器に入れた状態を示す正面図である。
【図８】図７のＩ−Ｉ’断面図である。
【図９】本発明の実施の形態２の口唇パックを示す正面図である。
【図１０】本発明の実施の形態３の口唇パックを示す正面図である。
【図１１】本発明の実施の形態４の口唇パックを示す正面図である。
【符号の説明】
【００３５】
１    口唇パック
２    開口
３    シート部
４    下側部分
５    折り返し部分
６    折り返し部分
７    突条部
１０  ブリスタ容器収容口唇パック
１１  ブリスタ容器
１２  口唇パック
１３  皿状部
１４  フィルム部
２１    口唇パック
２２    開口
２３    シート部
２４    下側部分
２５    折り返し部分
２６    折り返し部分
２７    突条部
３１    口唇パック
３２    開口
３３    シート部
３４    下側部分
３５    折り返し部分
３６    折り返し部分
３７    突条部
【図１】
2005120043.tif 000003
【図２】
2005120043.tif 000004
【図３】
2005120043.tif 000005
【図４】
2005120043.tif 000006
【図５】
2005120043.tif 000007
【図６】
2005120043.tif 000008
【図７】
2005120043.tif 000009
【図８】
2005120043.tif 000010
【図９】
2005120043.tif 000011
【図１０】
2005120043.tif 000012
【図１１】
2005120043.tif 000013